(57)【要約】【課題】比較的に簡単な構成で撮影モードを切り替えることができる電子機器および撮影モードの切り替え方法並びに撮影モードの切り替え用ソフトウェアプログラムを提供する。【解決手段】レンズ３５は、相互に異なる第１および第２範囲で移動範囲を切り替える。発信素子２９から発信される送信波は受信素子３１で受信される。こうして対象物から反射する送信波が受信素子３１で受信されると、制御回路３９は、第１範囲に含まれる第１レンズ位置から第２範囲に含まれる第２レンズ位置にレンズ３５を移動させる。こうした電子機器１１では、レンズ３５の移動にあたって対象物から反射する送信波が受信される。送信波の受信にあたって発信素子２９および受信素子３１が利用されることができる。第１および第２範囲で異なる撮影モードが設定されれば、比較的に簡単な構成で撮影モードは切り替えられることができる。【選択図】図２
2006058572.tif 000002
【特許請求の範囲】
【請求項１】
相互に異なる第１および第２範囲で移動範囲を切り替えるレンズと、送信波を発信する発信素子と、送信波を受信する受信素子と、対象物から反射する送信波が受信素子で受信されると、第１範囲に含まれる第１レンズ位置から第２範囲に含まれる第２レンズ位置にレンズを移動させる制御回路とを備えることを特徴とする電子機器。
【請求項２】
請求項１に記載の電子機器において、前記発信素子は発信信号に基づき所定の指向範囲で前記送信波を発信し、前記受信素子は、前記送信波の指向範囲に配置されて前記送信波の受信に基づき受信信号を出力し、発信信号および受信信号に基づき、対象物から反射する送信波を検出する検出回路をさらに備えることを特徴とする電子機器。
【請求項３】
請求項２に記載の電子機器において、前記レンズと同一の光軸を有する対物レンズをさらに備え、前記第２範囲は、対物レンズから光軸に沿って後方に広がる範囲で規定され、前記第１範囲は、前記第２範囲の後方で、対物レンズから光軸に沿ってさらに後方に広がる範囲で規定されることを特徴とする電子機器。
【請求項４】
請求項２に記載の電子機器において、前記送信波は赤外線であることを特徴とする電子機器。
【請求項５】
請求項４に記載の電子機器において、前記発信素子および前記受信素子に基づきデータ通信を確立する制御回路をさらに備えることを特徴とする電子機器。
【請求項６】
対象物から反射する送信波が受信素子で受信されると、第１範囲に含まれる第１レンズ位置から第２範囲に含まれる第２レンズ位置にレンズを移動させることを特徴とする制御回路。
【請求項７】
発信信号に基づき発信素子から送信波を発信させる手順と、受信素子から出力される受信信号および発信信号の差分を特定する手順と、特定された差分に基づき通常撮影モードおよび接写撮影モードの切り替えを実施する手順とを備えることを特徴とする撮影モードの切り替え方法。
【請求項８】
発信信号に基づき発信素子から送信波を発信させる手順と、受信素子から出力される受信信号および発信信号の差分を特定する手順と、特定された差分に基づき通常撮影モードおよび接写撮影モードの切り替えを実施する手順とをコンピュータに実行させることを特徴とする撮影モードの切り替え用ソフトウェアプログラム。
【発明の詳細な説明】
【技術分野】
【０００１】
本発明は、例えば携帯電話端末装置といった電子機器に関し、特に、発信信号に基づき送信波を発信する発信素子と、送信波の受信に基づき受信信号を出力する受信素子とを備える電子機器に関する。
【背景技術】
【０００２】
携帯電話端末装置にはいわゆるデジタルカメラが組み込まれる。デジタルカメラでは、撮影モードは接写撮影モードと通常撮影モードとに切り替えられる。通常撮影モードは例えば対物レンズから４０ｃｍ〜無限遠の被写体の撮影時に設定される。このとき、ズームレンズは第１範囲で移動する。接写撮影モードは例えば対物レンズから３０ｃｍ以内の被写体の撮影時に設定される。このとき、ズームレンズは第２範囲で移動する。こうした撮影モードは携帯電話端末装置の利用者の手動で切り替えられる。
【特許文献１】特開平０２−１２２１３号公報
【特許文献２】実開昭５９−１７６０２０号公報
【特許文献３】特開２００１−４９０８号公報
【特許文献４】特開昭５９−１４８０３３号公報
【特許文献５】特開２００２−５０９９９号公報
【発明の開示】
【発明が解決しようとする課題】
【０００３】
こういった携帯電話端末装置では、自動焦点合わせにあたって、ズームレンズは第１および第２範囲のいずれかの移動範囲で移動する。したがって、通常撮影モードの設定中、例えば対物レンズから１０ｃｍの被写体を撮影する場合、ズームレンズは第１範囲でしか移動できない。デジタルカメラは被写体に焦点を合わせることができない。その結果、利用者が撮影モードの切り替えを怠ると、焦点の合った画像は撮影されることができない。
【０００４】
本発明は、上記実状に鑑みてなされたもので、比較的に簡単な構成で撮影モードを切り替えることができる電子機器および撮影モードの切り替え方法並びに撮影モードの切り替え用ソフトウェアプログラムを提供することを目的とする。
【課題を解決するための手段】
【０００５】
上記目的を達成するために、第１発明によれば、相互に異なる第１および第２範囲で移動範囲を切り替えるレンズと、送信波を発信する発信素子と、送信波を受信する受信素子と、対象物から反射する送信波が受信素子で受信されると、第１範囲に含まれる第１レンズ位置から第２範囲に含まれる第２レンズ位置にレンズを移動させる制御回路とを備えることを特徴とする電子機器が提供されることができる。
【０００６】
こうした電子機器では、レンズの移動にあたって、対象物から反射する送信波が受信される。送信波の受信にあたって発信素子および受信素子が利用されることができる。第１および第２範囲で異なる撮影モードが設定されれば、比較的に簡単な構成で撮影モードは切り替えられることができる。焦点は対象物に簡単に合わせられることができる。電子機器の利用者は撮影モードの切り替え作業の煩わしさから解放されることができる。ここで、第１および第２範囲は、部分的に重なる範囲を有してもよく、全く重なりなく規定されてもよい。
【０００７】
こういった電子機器では、発信素子は発信信号に基づき所定の指向範囲で送信波を発信し、受信素子は、送信波の指向範囲に配置されて送信波の受信に基づき受信信号を出力すればよい。このとき、電子機器は発信信号および受信信号に基づき、対象物から反射する送信波を検出する検出回路をさらに備えればよい。
【０００８】
こうした電子機器では、受信素子は送信波の指向範囲に配置される。その結果、受信素子は、発信素子から直接に受信素子に向かって発信される送信波を受信することができる。対象物から反射する送信波は、反射に基づき、発信素子から直接に受信素子に向かって発信される送信波よりも所定の時間分遅れて受信される。検出回路ではこうした遅れすなわち差分が検出される。こうした差分に基づき対象物に反射する送信波は検出されることができる。
【０００９】
電子機器は、レンズと同一の光軸を有する対物レンズをさらに備えればよい。このとき、第２範囲は、対物レンズから光軸に沿って後方に広がる範囲で規定され、第１範囲は、第２範囲の後方で、対物レンズから光軸に沿ってさらに後方に広がる範囲で規定されればよい。こうして第１範囲は、例えば通常撮影モードでレンズが移動する範囲で規定されればよい。第２範囲は、例えば接写撮影モードでレンズが移動する範囲で規定されればよい。
【００１０】
以上のような電子機器では、送信波には赤外線が利用されればよい。電子機器は、発信素子および受信素子に基づきデータ通信を確立する制御回路をさらに備えればよい。こうして発信素子および受信素子は、レンズのレンズ位置の移動といった目的の他に、データ通信にも利用されることができる。電子機器の利便性は高められることができる。
【００１１】
以上のような電子機器の実現にあたって、対象物から反射する送信波が受信素子で受信されると、第１範囲に含まれる第１レンズ位置から第２範囲に含まれる第２レンズ位置にレンズを移動させることを特徴とする制御回路が提供されてもよい。
【００１２】
第２発明によれば、発信信号に基づき発信素子から送信波を発信させる手順と、受信素子から出力される受信信号および発信信号の差分を特定する手順と、特定された差分に基づき通常撮影モードおよび接写撮影モードの切り替えを実施する手順とを備えることを特徴とする撮影モードの切り替え方法が提供される。
【００１３】
こうした撮影モードの切り替え方法では、撮影モードの切り替えにあたって受信信号および発信信号の差分が特定されればよい。差分の特定にあたって発信素子および受信素子が利用される。比較的に簡単な構成で撮影モードは切り替えられることができる。こうした切り替え方法では、送信波には赤外線が利用されればよい。
【００１４】
第３発明によれば、発信信号に基づき発信素子から送信波を発信させる手順と、受信素子から出力される受信信号および発信信号の差分を特定する手順と、特定された差分に基づき通常撮影モードおよび接写撮影モードの切り替えを実施する手順とをコンピュータに実行させることを特徴とする撮影モードの切り替え用ソフトウェアプログラムが提供される。こういったソフトウェアプログラムは例えば電子機器に組み込まれればよい。
【発明の効果】
【００１５】
以上のように本発明によれば、比較的に簡単な構成で撮影モードを切り替えることができる電子機器および撮影モードの切り替え方法並びに撮影モードの切り替え用ソフトウェアプログラムを提供することができる。
【発明を実施するための最良の形態】
【００１６】
以下、添付図面を参照しつつ本発明の一実施形態を説明する。
【００１７】
図１は、本発明の一実施形態に係る電子機器すなわち携帯電話端末装置１１の外観を概略的に示す。この携帯電話端末装置１１は、機器本体１２と、所定の回転軸１３回りで揺動自在に機器本体１２に連結されるディスプレイ用筐体１４とを備える。機器本体１２およびディスプレイ用筐体１４の筐体内にはいわゆる回路基板（図示されず）が組み込まれる。周知の通り、回路基板には例えばＣＰＵ（中央演算処理装置）やメモリといった処理回路が実装される。使用者は、機器本体１２に搭載されるオンフックボタンやオフフックボタン、ダイヤルボタンといった入力ボタン１５から様々なデータや指令を入力することができる。データや指令の入力に基づき処理回路では様々な処理が実行される。
【００１８】
ディスプレイ用筐体１４の表面には第１液晶ディスプレイ（ＬＣＤ）パネル（図示されず）が組み込まれる。第１ＬＣＤパネルはディスプレイ用筐体１４の表面に臨む。同様に、ディスプレイ用筐体１４の背面には第２ＬＣＤパネル１６が組み込まれる。第２ＬＣＤパネル１６の表示画面はディスプレイ用筐体１４の背面に臨む。
【００１９】
ディスプレイ用筐体１４にはカメラモジュール１７がさらに組み込まれる。カメラモジュール１７はディスプレイ用筐体１４の背面に臨む。カメラモジュール１７は処理回路の処理に基づき静止画や動画といった画像を撮影することができる。画像の撮影にあたって、例えば機器本体１２の側面に搭載されるシャッターボタン１８が利用される。カメラモジュール１７で撮影される画像は例えば第１ＬＣＤパネルや第２ＬＣＤパネル１６の表示画面に映し出されることができる。
【００２０】
ディスプレイ用筐体１４には赤外線通信モジュール１９がさらに組み込まれる。赤外線通信モジュール１９はディスプレイ用筐体１４の背面に臨む。赤外線通信モジュール１９は、処理回路の処理に基づき例えば他の携帯電話端末装置やパーソナルコンピュータとの間で赤外線データ通信を実現する。赤外線データ通信は例えばＩｒＤＡといった規格に基づき実現されればよい。
【００２１】
図２に示されるように、携帯電話端末装置１１には、無線通信に基づき基地局（図示されず）との間で音声信号やデータ信号をやり取りする通信制御回路２１が組み込まれる。通信制御回路２１には音声信号処理回路２２が接続される。音声信号処理回路２２は、例えばマイク２３に伝わる音声に基づき音声信号を生成する。生成された音声信号は通信制御回路２２の働きで基地局に向けて発信される。音声信号処理回路２２は、通信制御回路２２から受け取る音声信号に基づきスピーカ２４から音声を出力させる。
【００２２】
携帯電話端末装置１１では、通信制御回路２１にＣＰＵ２５が接続される。ＣＰＵ２５には、ＲＡＭ（ランダムアクセスメモリ）２６や不揮発性メモリ２７が接続される。不揮発性メモリ２７には例えばフラッシュメモリが利用されればよい。不揮発性メモリ２７にはソフトウェアプログラム２８が格納される。ＣＰＵ２５は、例えばＲＡＭ２６に一時的に取り込まれるソフトウェアプログラム２８に従って所定の手順を実行することができる。ソフトウェアプログラム２８の詳細は後述される。
【００２３】
携帯電話端末装置１１では、ＣＰＵ２５に前述の赤外線通信モジュール１９が接続される。赤外線通信モジュール１９は、発信素子すなわち発光素子２９と、受信素子すなわち受光素子３１とを備える。発光素子２９は、ＣＰＵ２５から供給される発信信号に基づき所定の指向範囲で送信波すなわち赤外線を発信する。受光素子３１は赤外線の受信に基づき受信信号を出力する。発光素子２９および受光素子３１は任意の平面上で並列に配置される。こうして受光素子３１は赤外線の指向範囲に配置される。赤外線の指向範囲は例えば１８０度程度に設定されればよい。赤外線通信モジュール１９の通信距離は３０ｃｍ程度に設定される。
【００２４】
赤外線通信モジュール１９には検出回路すなわちＡＮＤ回路３２が接続される。ＡＮＤ回路３２は、対象物から反射する赤外線すなわち反射波を検出する。ＡＮＤ回路３２にはＣＰＵ２５から出力される発信信号が反転して入力される。同様に、ＡＮＤ回路３２には受光素子３１から出力される受信信号が入力される。演算に基づき発信信号および受信信号の差分の有無が検出される。差分は検出信号として出力される。差分に基づき反射波が検出される。差分の検出の詳細は後述される。ここで、発光素子２９および受光素子３１並びにＡＮＤ回路３２は本発明の送受信モジュールを構成する。
【００２５】
ＡＮＤ回路３２にはフリップフロップ回路３３が接続される。フリップフロップ回路３３では、入力端子から検出信号が入力されると、出力端子からＣＰＵ２５に向けて割込信号が出力される。フリップフロップ回路３３は割込信号の出力状態を保持する。ＣＰＵ２５は割込信号を認識すると、ＣＰＵ２５からフリップフロップ回路３３に向けてリセット信号が出力される。リセット信号に基づきフリップフロップ回路３３では割込信号の出力状態は解除される。こうしてＣＰＵ２５では確実に割込信号は認識されることができる。ただし、ＣＰＵ２５で割込信号が保持されれば、フリップフロップ回路３３で割込信号の出力状態が保持されなくてもよい。
【００２６】
ＣＰＵ２５には前述のカメラモジュール１７が接続される。カメラモジュール１７は、対物レンズ３４と、対物レンズ３４の後方に配置されるズームレンズ３５と、ズームレンズ３５の後方に配置されるＣＣＤ（電荷結合素子）センサ３６とを備える。ズームレンズ３５の光軸は対物レンズ３４の光軸に一致する。対物レンズ３４およびズームレンズ３５の光軸は、発光素子２９および受光素子３１が配置される平面に直交する。ズームレンズ３５は、ステッピングモータ３７の回転に基づき対物レンズ３４に対して光軸に沿って前後方向に移動する。
【００２７】
ＣＣＤセンサ３６にはアナログデジタル変換回路（ＡＤＣ）３８が接続される。ＡＤＣ３８は、ＣＣＤセンサ３６から出力されるアナログ信号をデジタル信号に変換する。変換されたデジタル信号はカメラ制御回路３９に出力される。カメラ制御回路３９では、変換されたデジタル信号から画像データが生成される。生成された画像データは、カメラ制御回路３９の働きで第１ＬＣＤパネルや第２ＬＣＤパネル１６の表示画面に表示されてもよく、ＲＡＭ２７に一時的に格納されてもよい。
【００２８】
図３に示されるように、ズームレンズ３５の移動範囲は、相互に異なる第１範囲４１および第２範囲４２で規定される。すなわち、ズームレンズ３５は第１および第２範囲４１、４２で移動範囲を切り替える。第２範囲４２は、対物レンズ３４から光軸に沿って後方に広がる範囲で規定される。第１範囲４１は、第２範囲４２の後方で、対物レンズ３４から光軸に沿ってさらに後方に広がる範囲で規定される。ただし、第１および第２範囲４１、４２は部分的に重なる範囲を有してもよい。
【００２９】
第１範囲４１は、通常撮影モードでズームレンズ３５が移動する範囲で規定される。第１範囲４１には、焦点距離無限大の第１レンズ位置４３、焦点距離１．８８８ｍの第２レンズ位置４４、焦点距離０．７１２ｍの第３レンズ位置４５および焦点距離０．４４１ｍの第４レンズ位置４６が含まれる。ここでは、第２レンズ位置４４は、カメラモジュール１７の起動時にズームレンズ３５が移動を開始する位置すなわち原点に相当する。
【００３０】
その一方で、第２範囲４２は、接写撮影モードでズームレンズ３５が移動する範囲で規定される。第２範囲４２には、焦点距離０．２８９ｍの第５レンズ位置４７、焦点距離０．１９５ｍの第６レンズ位置４８、焦点距離０．１４８ｍの第７レンズ位置４９、焦点距離０．１２０ｍの第８レンズ位置５１、焦点距離０．１０１ｍの第９レンズ位置５２および焦点距離０．０８８ｍの第１０レンズ位置５３が含まれる。ここでは、第５レンズ位置４７は、接写撮影モードでズームレンズ３５が移動を開始する位置に相当する。
【００３１】
ズームレンズ３５は、前述されるように、ステッピングモータ３７の回転に基づき移動する。ステッピングモータ３７は、カメラ制御回路３９から出力される回転制御信号に基づき回転する。ステッピングモータ３７は、回転制御信号に含まれる１パルスにつき所定の角度にわたって回転する。ズームレンズ３５の移動にあたって第１および第２範囲４１、４２では各レンズ位置に回転角度すなわちパルス数が割り当てられる。第１レンズ位置４３および第１０レンズ位置５３の間では７１パルスが設定される。
【００３２】
第１レンズ位置４３の１パルス分後方に原点５８が規定される。第１範囲４１では、原点５８から１パルス分前方に第１レンズ位置４３が規定される。第１レンズ位置４３から３パルス分前方に第２レンズ位置４４が規定される。第２レンズ位置４４から５パルス分前方に第３レンズ位置４５が規定される。第３レンズ位置４５から５パルス分前方に第４レンズ位置４６が規定される。第２範囲４２では、第４レンズ位置４６から７パルス分前方に第５レンズ位置４７が規定される。第４レンズ位置４７から第１０レンズ位置５３までは１０パルス分の間隔で等間隔に配置される。
【００３３】
こういったカメラモジュール１７ではいわゆる自動焦点合わせ機能が用いられる。例えば通常撮影モードでは、シャッターボタン１８が半分押されると、第２レンズ位置４４でＣＣＤセンサ３６上に画像が結像する。画像はアナログ信号としてＡＤＣ３８に出力される。ＡＤＣ３８では、アナログ信号は、増幅された後、デジタル信号に変換される。変換されたデジタル信号はカメラ制御回路３９に向けて出力される。カメラ制御回路３９ではデジタル信号の波形が測定される。
【００３４】
続いて、ステッピングモータ３７の回転に基づきズームレンズ３５は第２レンズ位置４４から第３レンズ位置４５に移動する。その後、第３および第４レンズ位置４５、４６で第２レンズ位置４３と同様の処理が繰り返される。こうしてカメラ制御回路３９では、各レンズ位置で測定される波形が比較される。画像のコントラストが大きければ鋭い波形が検出される。その一方で、画像のコントラストが小さければ滑らかな波形が検出される。最もコントラストの大きいレンズ位置が焦点位置として特定される。カメラ制御回路３９はステッピングモータ３７に向けて回転制御信号を出力する。ステッピングモータ３７は回転制御信号に基づき所定の角度にわたって回転する。こうしてズームレンズ３５は、焦点位置に相当するレンズ位置に移動する。
【００３５】
いま、携帯電話端末装置１１に基づき画像すなわち静止画が撮影される場面を想定する。ここでは、撮影の対象物はカメラモジュール１７および赤外線通信モジュール１９から１０ｃｍの距離に存在すると仮定する。ＣＰＵ２５は、不揮発性メモリ２７に格納されるソフトウェアプログラム２８を実行する。図４に示されるように、ＣＰＵ２５は、ステップＳ１で、例えばシャッターボタン１８の操作に基づきカメラモジュール１７を起動する。起動にあたって、ＣＰＵ２５はカメラ制御回路３９に起動要求信号を出力する。起動要求信号を受けたカメラ制御回路３９は回転制御信号をステッピングモータ３７に出力する。ステッピングモータ３７は回転制御信号に基づきズームレンズ３５を移動させる。回転制御信号ではパルス数は４に設定される。こうしてズームレンズ３５は原点すなわち第２レンズ位置４４に移動する。
【００３６】
続いて、シャッターボタン１８が操作されると、ＣＰＵ２５は、ステップＳ２で、赤外線通信モジュール１９の発光素子２９およびＡＮＤ回路３２に送信波の発信信号を出力する。発光素子２９は発信信号に基づき所定の指向範囲で送信波を発信する。ＣＰＵ２５は、ステップＳ３で、ＡＮＤ回路３２で受信信号および発信信号の差分が検出されるか否かを監視する。赤外線通信モジュール１９の通信距離は３０ｃｍ程度に設定されることから、送信波は対象物から反射する。こうした反射波は受光素子３１で受信される。同時に、受光素子３１は送信波の指向範囲に配置されることから、受光素子３１では発光素子２９から直接に受光素子３１に向かって発信される送信波すなわち回り込み波が受信される。受光素子３１は、回り込み波に反射波を重ねた合成波の受信信号をＡＮＤ回路３２に向かって出力する。
【００３７】
ＡＮＤ回路３２では、送信波の発信信号および合成波の受信信号の差分が検出される。図５を併せて参照し、送信波の発信信号、回り込み波の受信信号および反射波の受信信号は同一のパルス幅を有する。回り込みは送信波の発信と同時に受光素子３１で受信される。回り込み波の受信信号および送信波の発信信号の間に時間差はない。回り込み波のみの受信信号は送信波の受信信号で代替されることができる。その一方で、反射波は、反射に基づき回り込み波に比べて受光素子３１に所定の時間分遅れて受信される。その結果、反射波の受信信号は送信波の発信信号および回り込み波の受信信号に比べて遅れ時間分ずれる。したがって、ＡＮＤ回路３２で、反転された送信波の発信信号および合成波の受信信号に基づき、反射波の遅れ時間分すなわち差分が検出される。差分は検出信号としてフリップフロップ回路３３に向けて出力される。検出信号に基づきフリップフロップ回路３３はＣＰＵ２５に向けて割込信号を出力する。このとき、ＣＰＵ２５の処理動作はステップＳ４に移行する。
【００３８】
割込信号はＣＰＵ２５に入力される。こうしてＣＰＵ２５は、ステップＳ４で、受信信号および発信信号の差分を特定する。すなわち、ＣＰＵ２５では反射波が検出されたことを認識する。続いて、ＣＰＵ２５は、ステップＳ５で、差分の特定に基づき撮影モードを通常撮影モードから接写撮影モードに切り替える。切り替えにあたってＣＰＵ２５はカメラ制御回路３９にステッピングモータ３７の駆動要求信号を出力する。駆動要求信号に基づきカメラ制御回路３９はステッピングモータ３７に回転制御信号を出力する。回転制御信号ではパルス数は１７に設定される。ステッピングモータ３７は回転制御信号に基づき所定の角度にわたって回転する。こうしてズームレンズ３５は第２レンズ位置４４から第５レンズ位置４７に移動する。ステッピングモータ３７に出力される回転制御信号ではパルス数は１７に設定される。
【００３９】
その後、カメラモジュール１７では前述される自動焦点合わせ機能に基づき対象物に焦点が合わせられる。カメラ制御回路３９は、第２範囲４２に含まれる第５〜第１０レンズ位置４７、４８、４９、５１、５２、５３のうちの焦点位置に相当するレンズ位置にズームレンズ３５を移動させる。ここでは、対象物はカメラモジュール１７から１０ｃｍの距離に存在することから、ズームレンズ３５は第５レンズ位置４７から例えば第９レンズ位置５２に移動する。ステッピングモータ３７に出力される回転制御信号ではパルス数は４０に設定される。
【００４０】
このとき、シャッターボタン１８の操作に基づきＣＣＤセンサ３６は画像を結像させる。ＣＣＤセンサ３６から出力されるアナログ信号はＡＤＣ３８でデジタル信号に変換される。デジタル信号はカメラ制御回路３９に向けて出力される。カメラ制御回路３９はデジタル信号に基づき画像データを生成する。生成された画像データは、カメラ制御回路３９の働きで第１ＬＣＤパネルや第２ＬＣＤパネル１６の表示画面に表示されてもよく、不揮発性メモリ２７に格納されてもよい。同時に、ＣＰＵ２５は、ステップＳ６で、フリップフロップ回路３３に向けてリセット信号を出力する。フリップフロップ回路３３では、リセット信号に基づきリセット信号の受信まで保持される割込信号が消去される。
【００４１】
その後、ＣＰＵ２５は、ステップＳ７で、シャッターボタン１８の操作が実施されるか否かを監視する。シャッターボタン１８の操作が実施されれば、ＣＰＵ２５はステップＳ２から処理動作を繰り返す。シャッターボタン１８の操作が実施されず、カメラモジュール１７の利用が終了すると、ＣＰＵ２５はカメラ制御回路３９に向けて停止要求信号を出力する。停止要求信号に基づきカメラ制御回路３９はカメラモジュール１７の動作を停止させる。
【００４２】
次に、撮影の対象物がカメラモジュール１７および赤外線通信モジュール１９から７０ｃｍの距離に存在すると仮定する。このとき、携帯電話端末装置１１に基づき画像すなわち静止画が撮影される場面を想定する。前述と同様に、ＣＰＵ２５は、ステップＳ１で、例えばシャッターボタン１８の操作に基づきカメラモジュール１７を起動する。ズームレンズ３５は原点すなわち第２レンズ位置４４に移動する。続いて、シャッターボタン１８が操作されると、ＣＰＵ２５は、ステップＳ２で、赤外線通信モジュール１９の発光素子２９およびＡＮＤ回路３２に送信波の発信信号を出力する。発光素子２９は発信信号に基づき所定の指向範囲で送信波を発信する。ＣＰＵ２５は、ステップＳ３で、ＡＮＤ回路３２で受信信号および発信信号の差分が検出されるか否かを監視する。
【００４３】
対象物はカメラモジュール１７および赤外線通信モジュール１９から３０ｃｍ以内の距離内に存在しないことから、受光素子３１は反射波を受信しない。その結果、受光素子３１では回り込み波のみが受信される。受光素子３１は回り込み波の受信信号をＡＮＤ回路３２に向けて出力する。送信波の発信信号および回り込み波の受信信号は同一のパルス幅を有することから、ＡＮＤ回路３２では、反転された送信波の発信信号および回り込み波の受信信号の差分は検出されない。したがって、ＡＮＤ回路３２ではフリップフロップ回路３３に向けて検出信号は出力されない。このとき、ＣＰＵ２５の処理動作はステップＳ３からステップＳ８に移行する。
【００４４】
ＣＰＵ２５は、ステップＳ８で、発信信号の出力から所定の時間経過後、撮影モードを通常撮影モードに設定する。その後、カメラモジュール１７では自動焦点合わせ機能に基づき対象物に焦点が合わせられる。カメラ制御回路３９は、第１範囲４１に含まれる第１〜第４レンズ位置４３、４４、４５、４６のうちの焦点位置に相当するレンズ位置にズームレンズ３５を移動させる。ここでは、対象物はカメラモジュール１７から７０ｃｍの距離に存在することから、ズームレンズ３５は第２レンズ位置４４から第３レンズ位置４５に移動する。回転制御信号ではパルス数は５に設定される。続いて、前述と同様に画像データは生成される。
【００４５】
その後、ＣＰＵ２５は、ステップＳ７で、シャッターボタン１８の操作が実施されるか否かを監視する。シャッターボタン１８の操作が実施されれば、ＣＰＵ２５はステップＳ２から処理動作を繰り返す。シャッターボタン１８の操作が実施されず、カメラモジュール１７の利用が終了すると、ＣＰＵ２５はカメラ制御回路３９に向けて停止要求信号を出力する。停止要求信号に基づきカメラ制御回路３９はカメラモジュール１７の動作を停止させる。
【００４６】
以上のような携帯電話端末装置１１では、前述されるように、赤外線通信モジュール１９で赤外線データ通信が実現されることができる。赤外線データ通信は例えばＩｒＤＡの規格に基づき実現される。赤外線データ通信の確立にあたって、ＣＰＵ２５は所定のデータを発信信号に変換する。変換された発信信号は発光素子２９に出力される。発光素子２９は発信信号に基づき例えば他の携帯電話端末装置に向けて送信波を発信する。この送信波の発信中、受光素子３１では受信は規制される。送信波の発信後、受光素子３１では受信の規制は解除される。こうして受光素子３１は、他の携帯電話端末装置から発信される送信波を受信する。受光素子３１は、送信波の受信に基づきＣＰＵ２５に受信信号を出力する。ＣＰＵ２５は受信信号を所定のデータに変換する。こうして赤外線データ通信は終了する。
【００４７】
以上のような携帯電話端末装置１１では、カメラモジュール１７の撮影モードの切り替えにあたって、受信信号および発信信号に基づき反射波が検出される。こうした反射波の検出にあたって、発光素子２９と、発光素子２９の指向範囲に配置される受光素子３１が利用されることができる。比較的に簡単な構成で撮影モードは切り替えられることができる。焦点の合った画像は撮影されることができる。画像の撮影にあたって携帯電話端末装置１１の利用者は切り替え作業の煩わしさから解放されることができる。
【００４８】
しかも、反射波の検出にあたって、赤外線通信モジュール１９で回り込み波が受信される。回り込み波は送信波の発信と同時に受信される。回り込み波の受信信号と送信波の発信信号との間に時間差はない。発信波の発信信号は回り込み波の受信信号に代替されることができる。こうして比較的に簡単に受信信号および発信信号の差分は検出されることができる。こうした赤外線通信モジュール１９では、受信信号および発信信号の差分の検出に加えて、赤外線データ通信が確立されることができる。携帯電話端末装置１１の利便性は高められることができる。
【００４９】
その他、以上のような携帯電話端末装置１１では、撮影モードは、通常撮影モードから接写撮影モードに切り替えられる代わりに、例えば接写撮影モードから通常撮影モードに切り替えられてもよい。
【００５０】
（付記１）  相互に異なる第１および第２範囲で移動範囲を切り替えるレンズと、送信波を発信する発信素子と、送信波を受信する受信素子と、対象物から反射する送信波が受信素子で受信されると、第１範囲に含まれる第１レンズ位置から第２範囲に含まれる第２レンズ位置にレンズを移動させる制御回路とを備えることを特徴とする電子機器。
【００５１】
（付記２）  付記１に記載の電子機器において、前記発信素子は発信信号に基づき所定の指向範囲で前記送信波を発信し、前記受信素子は、前記送信波の指向範囲に配置されて前記送信波の受信に基づき受信信号を出力し、発信信号および受信信号に基づき、対象物から反射する送信波を検出する検出回路をさらに備えることを特徴とする電子機器。
【００５２】
（付記３）  付記２に記載の電子機器において、前記レンズと同一の光軸を有する対物レンズをさらに備え、前記第２範囲は、対物レンズから光軸に沿って後方に広がる範囲で規定され、前記第１範囲は、前記第２範囲の後方で、対物レンズから光軸に沿ってさらに後方に広がる範囲で規定されることを特徴とする電子機器。
【００５３】
（付記４）  付記２に記載の電子機器において、前記送信波は赤外線であることを特徴とする電子機器。
【００５４】
（付記５）  付記４に記載の電子機器において、前記発信素子および前記受信素子に基づきデータ通信を確立する制御回路をさらに備えることを特徴とする電子機器。
【００５５】
（付記６）  対象物から反射する送信波が受信素子で受信されると、第１範囲に含まれる第１レンズ位置から第２範囲に含まれる第２レンズ位置にレンズを移動させることを特徴とする制御回路。
【００５６】
（付記７）  発信信号に基づき発信素子から送信波を発信させる手順と、受信素子から出力される受信信号および発信信号の差分を特定する手順と、特定された差分に基づき通常撮影モードおよび接写撮影モードの切り替えを実施する手順とを備えることを特徴とする撮影モードの切り替え方法。
【００５７】
（付記８）  付記７に記載の撮影モードの切り替え方法において、前記送信波は赤外線であることを特徴とする撮影モードの切り替え方法。
【００５８】
（付記９）  発信信号に基づき発信素子から送信波を発信させる手順と、受信素子から出力される受信信号および発信信号の差分を特定する手順と、特定された差分に基づき通常撮影モードおよび接写撮影モードの切り替えを実施する手順とをコンピュータに実行させることを特徴とする撮影モードの切り替え用ソフトウェアプログラム。
【図面の簡単な説明】
【００５９】
【図１】本発明の一実施形態に係る電子機器すなわち携帯電話端末装置の外観を概略的に示す斜視図である。
【図２】携帯電話端末装置の構成を概略的に示すブロック図である。
【図３】ズームレンズの移動範囲を概略的に示す概念図である。
【図４】携帯電話端末装置でソフトウェアプログラムの処理工程の一具体例を示すフローチャートである。
【図５】信号のパルス幅を概略的に示す概念図である。
【符号の説明】
【００６０】
１１  電子機器（携帯電話端末装置）、２８  ソフトウェアプログラム、２９  発信素子、３１  受信素子、３２  検出回路、３４  対物レンズ、３５  レンズ、３９  制御回路、４１  第１範囲、４２  第２範囲。
【図１】
2006058572.tif 000003
【図２】
2006058572.tif 000004
【図３】
2006058572.tif 000005
【図４】
2006058572.tif 000006
【図５】
2006058572.tif 000007